(57)【要約】【課題】不正な制御を防ぎ、よりセキュリティを向上した表示制御装置の提供。【解決手段】入力された画像信号の画像処理を行う画像処理手段と、前記画像信号の水平同期信号及び垂直同期信号の測定を行う同期信号処理手段と、外部に接続された機器と通信を行うためのインターフェースと、前記インターフェースを介して前記外部に接続された機器から複数の制御コマンドを受信する制御手段と、前記画像処理手段の出力信号を入力し画像を形成する表示手段とを含んで表示制御装置を構成し、前記制御手段は、前記同期信号処理手段の測定結果から前記画像信号の解像度を判定し、前記解像度によって前記制御コマンドごとの実行の許可又は禁止の設定を行い、前記制御コマンドを受信したとき前記制御コマンドの実行が許可に設定されていれば前記制御コマンドを実行し、前記制御コマンドの実行が禁止に設定されていれば前記制御コマンドを実行しない。【選択図】図１
2006139174.tif 000002
【特許請求の範囲】
【請求項１】
入力された画像信号の画像処理を行う画像処理手段と、
前記画像信号の水平同期信号及び垂直同期信号の測定を行う同期信号処理手段と、
外部に接続された機器と通信を行うためのインターフェースと、
前記インターフェースを介して前記外部に接続された機器から複数の制御コマンドを受信する制御手段と、
前記画像処理手段の出力信号を入力し画像を形成する表示手段とを有し、
前記制御手段は、前記同期信号処理手段の測定結果から前記画像信号の解像度を判定し、前記解像度によって前記制御コマンドごとの実行の許可又は禁止の設定を行い、前記制御コマンドを受信したとき前記制御コマンドの実行が許可に設定されていれば前記制御コマンドを実行し、前記制御コマンドの実行が禁止に設定されていれば前記制御コマンドを実行しないことを特徴とする表示制御装置。
【請求項２】
前記制御手段は、前記制御コマンドを受信したとき前記制御コマンドの実行が禁止に設定されていたとき、前記外部に接続された機器に対して前記インターフェースを介して前記制御コマンドの実行が禁止されていることの通知を行うことを特徴とする請求項１記載の表示制御装置。
【請求項３】
前記制御手段は、前記制御コマンドを受信したとき前記制御コマンドの実行が禁止に設定されていたとき、前記表示手段に前記制御コマンドの実行が禁止されていることを示す表示を行うことを特徴とする請求項１又は２記載の表示制御装置。
【請求項４】
入力された画像信号の画像処理を行う画像処理手段と、
前記画像信号の水平同期信号及び垂直同期信号の測定を行う同期信号処理手段と、
外部に接続された機器と通信を行うためのインターフェースと、
前記インターフェースを介して前記外部に接続された機器から複数の制御コマンドを受信する制御手段と、
前記画像処理手段の出力信号を入力し画像を形成する表示手段とを有する表示制御装置の制御方法であって、
前記同期信号処理手段の測定結果から前記画像信号の解像度を判定する解像度判定工程と、
前記解像度によって前記制御コマンドごとの実行の許可または禁止の設定を行うコマンド設定工程と、
前記制御コマンドを受信したとき前記制御コマンドの実行が許可に設定されていれば前記制御コマンドを実行し、前記制御コマンドの実行が禁止に設定されていれば前記制御コマンドを実行しないコマンド実行工程とを有することを特徴とする表示制御方法。
【請求項５】
前記制御コマンドを受信したとき前記制御コマンドの実行が禁止に設定されていたとき、前記外部に接続された機器に対して前記インターフェースを介して前記制御コマンドの実行が禁止されていることの通知を行う通知工程を有することを特徴とする請求項４記載の表示制御方法。
【請求項６】
前記制御コマンドを受信したとき前記制御コマンドの実行が禁止に設定されていたとき、前記表示手段に前記制御コマンドの実行が禁止されていることを示す表示を行う表示工程を有することを特徴とする請求項４又は５記載の表示制御方法。
【発明の詳細な説明】
【技術分野】
【０００１】
本発明は、表示制御装置及び表示制御方法に関し、特に外部に接続された機器からの制御の許可／禁止を制御する表示制御装置及び表示制御方法に関するものである。
【背景技術】
【０００２】
従来、情報機器等において不正な使用等を防ぎ、セキュリティを高めるために多くの方法が開発されてきている。例えば、パスワード入力をはじめとして指紋、音声、顔認識等の個人認証の方法について様々な開発が行われている。或は映画等の映像や音楽等のコンテンツを扱う分野においては著作権の保護等が課題となっており、コンテンツの暗号化、復号化や認証の方法等に関しては様々方法が研究、開発されている。
【０００３】
セキュリティ対策として、外部に接続される機器の状態等に応じて機能制限等を行うといったシステムも考えられている。例えば、特許文献１に開示された技術においては、情報処理装置に携帯電話機を接続したときに携帯電話機から識別情報を読み出して情報処理装置の特定の機能の許可又は禁止を設定するという処理を行っている。このような技術により情報機器の不正な使用や外部からの不正な制御を防止することができ、セキュリティの向上を図ることができる。
【０００４】
パーソナルコンピュータ等の情報機器においては、通常はＣＲＴや液晶ディスプレイ等の表示装置に接続して使用される、近年では表示装置の高機能化が進んでおり、パーソナルコンピュータから表示装置の制御を行うようにしたものがある。例えば、ＵＳＢ（Ｕｎｉｖｅｒｓａｌ  Ｓｅｒｉａｌ  Ｂｕｓ）インターフェースによりパーソナルコンピュータと表示装置を接続して、パーソナルコンピュータにインストールしたアプリケーションから例えば画質調整や画像表示位置の調整等の表示装置の制御を行う方式等がある。ＵＳＢとは、ＵＳＢ  Ｉｍｐｌｅｍｅｎｔｅｒｓ  Ｆｏｒｕｍにより仕様が策定された、コンピュータ等のＵＳＢホストと周辺機器等のＵＳＢデバイスとの間の通信インターフェース規格である。
【０００５】
表示装置に備えられた画質調整機能は装置の処理性能や操作ボタンの数等の制約を受けるため、ユーザーにとって使い方が分かりにくかったりする等使い勝手を良くすることが難しい面がある一方で、近年のパーソナルコンピュータのアプリケーションはグラフィカルで見易く、又、操作についてもマウスが一般的となっており操作性の良いものを容易に作成することができるために使い勝手を向上することができる。
【０００６】
又、近年のコンピュータや表示装置の高性能化により、コンピュータと表示装置を連携させたシステムとして動作させることも行われている。コンピュータ上で表示装置の制御を含めたアプリケーションを動作させることでより高度な機能を実現することができる。例えば、コンピュータから出力する画像に応じて表示装置の画質を自動調整すること等ができる。
【０００７】
又、このようなシステムにおいては、コンピュータから表示装置のより内部的な制御を行うものもある。例えば、表示装置の内部回路の各設定値の変更を行ったり、制御プログラムを書き換えたりする機能を持つことで、生産時に画像の各調整を行い調整値を書き込んだり、出荷後にプログラムの書き換えを行ったりすることが可能となり、生産性やサービス性を向上させることができる。
【０００８】
【特許文献１】特開２０００−２８６９５７号公報
【発明の開示】
【発明が解決しようとする課題】
【０００９】
一方で、外部に接続されたコンピュータ等によって装置内部の各制御を行う場合にもし設定を誤ってしまうと、正常な動作をしなくなる等の危険がある。例えば、プログラムの書き換えを誤って実行してプログラムの一部が消えてしまうと、装置が全く動作しなくなる可能性もある。
【００１０】
本発明はこのような問題に鑑みなされたもので、その目的は、外部に接続された機器による装置の制御に関して実行の許可及び禁止を制御することで前記問題を改善し、不正な制御を防ぎ、よりセキュリティを向上した表示制御装置及び表示制御方法を提供することである。
【課題を解決するための手段】
【００１１】
上記目的を達成するため、本発明は、入力された画像信号の画像処理を行う画像処理手段と、前記画像信号の水平同期信号及び垂直同期信号の測定を行う同期信号処理手段と、外部に接続された機器と通信を行うためのインターフェースと、前記インターフェースを介して前記外部に接続された機器から複数の制御コマンドを受信する制御手段と、前記画像処理手段の出力信号を入力し画像を形成する表示手段とを含んで表示制御装置を構成し、前記制御手段は、前記同期信号処理手段の測定結果から前記画像信号の解像度を判定し、前記解像度によって前記制御コマンドごとの実行の許可又は禁止の設定を行い、前記制御コマンドを受信したとき前記制御コマンドの実行が許可に設定されていれば前記制御コマンドを実行し、前記制御コマンドの実行が禁止に設定されていれば前記制御コマンドを実行しないようにしたことを特徴とする。
【００１２】
又、本発明は、入力された画像信号の画像処理を行う画像処理手段と、前記画像信号の水平同期信号及び垂直同期信号の測定を行う同期信号処理手段と、外部に接続された機器と通信を行うためのインターフェースと、前記インターフェースを介して前記外部に接続された機器から複数の制御コマンドを受信する制御手段と、前記画像処理手段の出力信号を入力し画像を形成する表示手段とを有する表示制御装置の制御方法として、前記同期信号処理手段の測定結果から前記画像信号の解像度を判定する解像度判定工程と、前記解像度によって前記制御コマンドごとの実行の許可または禁止の設定を行うコマンド設定工程と、前記制御コマンドを受信したとき前記制御コマンドの実行が許可に設定されていれば前記制御コマンドを実行し、前記制御コマンドの実行が禁止に設定されていれば前記制御コマンドを実行しないコマンド実行工程とを有することを特徴とする。
【発明の効果】
【００１３】
本発明によれば、外部に接続された機器から制御が行われる表示制御装置及び表示制御方法において、外部に接続された機器の出力画像の解像度がシステムとして決められた解像度であるときのみ制御を許可することで、外部からの不正な制御などを防ぎシステムのセキュリティを向上することができる。
【発明を実施するための最良の形態】
【００１４】
＜実施の形態１＞
本発明の実施の形態１に係る表示制御装置及びその制御方法について図面を用いて説明する。
【００１５】
図１は本発明の実施の形態１のシステム構成の一部を表すブロック図である。リアプロジェクションディスプレイ１は、その内部に光源ランプ、光学レンズ、ミラー、カラーフィルタ、液晶パネル等から成る光学系が構成されている。光源ランプが発生した光は、カラーフィルタ等によりＲ（赤色）、Ｇ（緑色）、Ｂ（青色）の３色に分離され、それぞれ液晶パネル（Ｒ）８、液晶パネル（Ｇ）９、液晶パネル（Ｂ）１０に入射する。そして、各液晶パネルにより変調された光は、投影光学系によってリアプロジェクションディスプレイ１の前面に配置されたスクリーン上に拡大投影されて画像が表示される。
【００１６】
リアプロジェクションディスプレイ１とパーソナルコンピュータ２は、赤、緑、青の各成分で構成される画像信号１１、画像信号１１のタイミングの基準を示す水平同期信号及び垂直同期信号１２及びＵＳＢ（Ｕｎｉｖｅｒｓａｌ  Ｓｅｒｉａｌ  Ｂｕｓ）インターフェース１３により接続されている。リアプロジェクションディスプレイ１内部のシステム制御部３は、ＵＳＢデバイスインタフェースを内蔵しており、ＵＳＢインターフェース１３を介してＵＳＢホストであるパーソナルコンピュータ２との間でＵＳＢプロトコルによるデータ送受信を行うようになっている。
【００１７】
パーソナルコンピュータ２から出力された画像信号１１と水平同期信号及び垂直同期信号１２は、Ａ／Ｄ変換部４に入力される。又、水平同期信号及び垂直同期信号１２は、同期信号処理部５に入力される。同期信号処理部５においては、先ず、入力された垂直同期信号の周波数を測定し、同時に１フレーム期間即ち垂直同期信号の１周期の期間の水平同期信号の数を継続的にカウントしている。更に、垂直同期信号および水平同期信号の極性を判定している。測定された垂直同期信号の周波数、１フレーム期間の水平同期信号の数、垂直同期信号の極性及び水平同期信号の極性は、システム制御部３により定期的にシステムバス１８を介して読み出されている。
【００１８】
システム制御部３においては、同期信号処理部５から読み出した垂直同期信号の周波数、１フレーム期間の水平同期信号の数、垂直同期信号の極性及び水平同期信号の極性から、パーソナルコンピュータ２から出力される画像信号の解像度を判定する。
【００１９】
システム制御部３は、判定結果に基づいて、システムバス１８を介してＡ／Ｄ変換部４に対して画素を適切にサンプリングするためのサンプリング周波数の設定等を行う。Ａ／Ｄ変換部４においては、入力された画像信号１１をサンプリングし、デジタルの画像信号１４に変換する。
【００２０】
更に、システム制御部３は、垂直同期信号の周波数、１フレーム期間の水平同期信号の数、垂直同期信号の極性及び水平同期信号の極性のうち何れかに変化があった場合、解像度が変化したと判断して新しい解像度に対応するために必要な処理を行う。このときの処理のフローを図２に示しその手順を説明する。
【００２１】
解像度変更処理が開始されると、先ず、Ｓ２０２において、垂直同期信号の周波数の範囲、１フレーム期間の水平同期信号の数の範囲、垂直同期信号の極性及び水平同期信号の極性によって解像度を割り当てた解像度テーブルから、該当する解像度を決定する。
【００２２】
次に、Ｓ２０３で、周辺回路に対して必要な設定変更を行う。例えば、Ａ／Ｄ変換部４に対するサンプリング周波数の設定の変更や、画像処理部６に対して解像度を変更するための拡大率或は縮小率の変更等を行う。
【００２３】
ここで、パーソナルコンピュータ２には、ユーザーがリアプロジェクションディスプレイ１の表示画質、音声、チャンネル切り換え等を調整できるユーザー調整用アプリケーションと、リアプロジェクションディスプレイ１の内部回路の設定値の変更やシステム制御プログラムの書き換えといったメンテナンスを行うための内部制御アプリケーションが予め内蔵されている。各アプリケーションが発行する様々なコマンドは、ＵＳＢインターフェース１３を介してリアプロジェクションディスプレイ１内部のシステム制御部３に送信される。
【００２４】
Ｓ２０４では、入力解像度が、内部制御アプリケーションによって発行される内部制御コマンドの実行を許可された解像度かどうかを判定する。ここでは、液晶パネルの画素数が横１９２０画素、縦１０８０画素から成っており、入力解像度が液晶パネルの画素数と等しい場合のみに内部制御コマンドの実行を許可されるものとする。本システムでは、リアプロジェクションディスプレイ１とパーソナルコンピュータ２は、システムとして構成されていて、パーソナルコンピュータ２の出力解像度は液晶パネルの解像度と等しい解像度、即ち横１９２０画素、縦１０８０画素に設定されているものとする。従って、この場合はＳ２０５において内部制御コマンドの実行を許可に設定して処理を終了する。
【００２５】
次に、Ａ／Ｄ変換部４においてデジタル化された画像信号１４と、水平同期信号及び垂直同期信号１５は画像処理部６に入力される。
【００２６】
画像処理部６においては、入力された画像信号１４の解像度が液晶パネルの画素数と異なる場合に液晶パネルの画素数に合わせるために拡大或は縮小処理を行ったり、画像信号を液晶パネルの駆動周波数に合わせて出力するために周波数を変換する処理や、画像信号の画質を変更する処理、例えばコントラスト調整、ブライト調整、ガンマ変換等の画質調整処理を行う。
【００２７】
画像処理部６は以上の処理を行った画像信号１６をＤ／Ａ変換部７に対して出力する。又、液晶パネル（Ｒ）８、液晶パネル（Ｇ）９及び液晶パネル（Ｂ）１０の各液晶パネルを駆動するための駆動信号１９を各パネルに対して出力する。
【００２８】
Ｄ／Ａ変換部７においては、画像処理部６から出力された画像信号１６をアナログ画像信号１７に変換する。画像信号１７及びパネル駆動信号１９は、液晶パネル（Ｒ）８、液晶パネル（Ｇ）９及び液晶パネル（Ｂ）１０の各液晶パネルに入力されて、各液晶パネル上に画像が形成される。
【００２９】
次に、システム制御部３がＵＳＢインターフェース１３を介して制御コマンドを受信したときの処理のフローを図３に示し、その手順を説明する。
【００３０】
先ず、Ｓ３０２において、受信したコマンドが内部制御コマンドかどうかを判定する。受信したコマンドがユーザー調整用アプリケーションが発行したものであって内部制御コマンドでないならＳ３０５で受信コマンドを実行しコマンド受信処理を終了する。
【００３１】
又、内部制御アプリケーションによって発行される内部制御コマンドであった場合はＳ３０３に進み内部制御コマンドの実行が許可されているかどうかを判断する。ここでは、前述したように許可の設定がされているからＳ３０５に進みコマンドを実行してコマンド受信処理を終了する。
【００３２】
以上の説明においては、リアプロジェクションディスプレイ１とパーソナルコンピュータ２がセットとなったシステムとしていたが、一方、リアプロジェクションディスプレイ１に対して例えばユーザーが保有するパーソナルコンピュータを接続して使用するという構成も考えられる。このとき、パーソナルコンピュータ２の解像度が液晶パネルの解像度と異なっているものとする。このような場合にシステム制御部３が内部制御コマンドを受信した場合には、図２のＳ２０４において内部制御を許可された解像度でないと判定されるためＳ２０６に進み、内部制御コマンドが実行禁止に設定される。
【００３３】
その後、コマンドを受信した場合の処理のフローを図３により説明する。
【００３４】
Ｓ３０２において、受信したコマンドが内部制御コマンドかどうかを判定する。受信したコマンドが内部制御コマンドでない、即ちユーザー調整用アプリケーションが発行したコマンドであるならばＳ３０５で受信コマンドを実行しコマンド受信処理を終了する。
【００３５】
一方で、内部制御コマンドであった場合はＳ３０３に進み内部制御コマンドの実行が許可されているかどうかを判断する。ここでは禁止に設定されているからＳ３０４に進み、コマンド実行の禁止をパーソナルコンピュータ２に対して送信し、コマンド受信処理を終了する。このとき、例えばリアプロジェクションディスプレイ１の画面上にコマンド実行禁止を通知するメッセージ等を表示するようにしても勿論良い。
【００３６】
＜実施の形態２＞
本発明の実施の形態２に係る表示制御装置及び制御方法について説明する。
【００３７】
システム構成は実施の形態１と同様である。先ず、システム制御部３が解像度が変化したときに行う処理のフローを図４に示しその手順を説明する。
【００３８】
先ず、Ｓ４０２において、垂直同期信号の周波数の範囲、１フレーム期間の水平同期信号の数の範囲、垂直同期信号の極性及び水平同期信号の極性によって解像度を割り当てた解像度テーブルから、該当する解像度を決定する。
【００３９】
次に、Ｓ４０３で、周辺回路に対して必要な設定変更を行う。Ａ／Ｄ変換部４に対するサンプリング周波数の設定の変更や、画像処理部６に対して解像度を変更するための拡大率或は縮小率の変更等を行う。
【００４０】
ここで、パーソナルコンピュータ２には、リアプロジェクションディスプレイ１の表示画像の一部を切り出して全画面に拡大表示を行うための拡大制御アプリケーションが内蔵されている。拡大制御アプリケーションが発行するコマンドは、ＵＳＢインターフェース１３を介してリアプロジェクションディスプレイ１内部のシステム制御部３に送信される。
【００４１】
Ｓ４０４では、入力解像度が、拡大制御アプリケーションによって発行される拡大制御コマンドの実行を許可された解像度かどうかを判定する。拡大制御を行う場合、画像処理部６の内部にフレームメモリを備え、入力画像を一旦フレームメモリに書き込み、拡大する範囲に応じてフレームメモリからのデータの読み出しを制御することで拡大を実現する。このとき、フレームメモリの動作クロックには上限があるため、その値に応じて拡大制御に対応できる解像度の上限が決まる。
【００４２】
ここでは、横１６００画素、縦１２００画素以上の解像度のときに、拡大制御に対応できないものとする。従って、入力解像度が横１６００画素、縦１２００画素未満であるならば拡大コマンドを許可するものとしてＳ４０５に進み拡大コマンドの実行を許可に設定して処理を終了する。一方で入力解像度が横１６００画素、縦１２００画素以上である場合はＳ４０６に進み、拡大コマンドの実行を禁止に設定して処理を終了する。
【００４３】
尚、本実施の形態では、フレームメモリの動作クロックの制限により拡大制御を行う解像度に制限が発生するとしたが、例えばメモリの容量の制限や、画像処理部６内部の動作クロック等、他の回路的な要因によって制限が発生する場合も同様である。
【００４４】
次に、システム制御部３がＵＳＢインターフェース１３を介して制御コマンドを受信したときの処理のフローを図５に示し、その手順を説明する。
【００４５】
先ず、Ｓ５０２において、受信したコマンドが拡大制御コマンドかどうかを判定する。拡大制御コマンド以外ならばＳ５０５で受信したコマンドを実行しコマンド受信処理を終了する。
【００４６】
拡大制御コマンドであった場合はＳ５０３に進み、拡大制御コマンドの実行が許可されているかどうかを判断する。許可がされていればＳ５０５に進み、拡大制御コマンドを実行してコマンド受信処理を終了する。禁止に設定されていればＳ５０４に進み、拡大制御コマンド実行の禁止をパーソナルコンピュータ２に対して送信し、コマンド受信処理を終了する。
【図面の簡単な説明】
【００４７】
【図１】本発明の実施の形態の構成を表す図である。
【図２】本発明の実施の形態１における解像度変更処理を説明する図である。
【図３】本発明の実施の形態１におけるコマンド受信処理を説明する図である。
【図４】本発明の実施の形態２における解像度変更処理を説明する図である。
【図５】本発明の実施の形態２におけるコマンド受信処理を説明する図である。
【符号の説明】
【００４８】
１    リアプロジェクションディスプレイ
２    パーソナルコンピュータ
３    システム制御部
４    Ａ／Ｄ変換部
５    同期信号処理部
６    画像処理部
７    Ｄ／Ａ変換部
８    液晶パネル（Ｒ）
９    液晶パネル（Ｇ）
１０  液晶パネル（Ｂ）
１１  画像信号
１２  平同期信号及び垂直同期信号
１３  ＵＳＢインターフェース
１４  デジタル画像信号
１５  水平同期信号及び垂直同期信号
１６  デジタル画像信号
１７  アナログ画像信号
１８  システムバス
１９  駆動信号
【図１】
2006139174.tif 000003
【図２】
2006139174.tif 000004
【図３】
2006139174.tif 000005
【図４】
2006139174.tif 000006
【図５】
2006139174.tif 000007